(57)【要約】【課題】本発明は、簡単に毛髪に均一なウェーブをかけることができる毛髪形状処理器および毛髪形状処理方法を提供する。【解決手段】アイロンＡは、本体1と、回転体２と、発熱体の一例であるアイロンプレート３と、クリップ部材の一例であるクリップ部４と、電源コード５から成る。本体１の、電源コード５が設けられた一端とは反対側の他端には、回転体２が設けられている。回転体２の、本体１が設けられた側とは反対側には、セラミック製のアイロンプレート３が設けられている。クリップ部４は、回転体２に一体に設けられている。【選択図】図１
2015181865.tif 000002
【特許請求の範囲】
【請求項１】
本体と、
該本体の一端に、同本体と一体に設けられ、かつ、同本体の長手方向と略同軸の長手方向を有する発熱体と、
前記本体の、前記発熱体が設けられた側の領域に設けられ、同本体の長手方向を軸とした回転方向に回転可能な回転体と、
該回転体に連続して設けられると共に前記発熱体に沿って伸びた形状を有し、同回転体と接する部分を軸として開閉可能に設けられたクリップ部材とを備える
毛髪形状処理器。
【請求項２】
前記回転体は双方向に回転可能に設けられた
請求項１に記載の毛髪形状処理器。
【請求項３】
前記回転体の回転方向の切り替えが可能な
請求項２に記載の毛髪形状処理器。
【請求項４】
前記クリップ部材は、前記回転体に一体として設けられた基部と、同基部と連続する部分は同発熱体から浮いた形状を有すると共に、該基部を軸として同発熱体と開閉可能に設けられた滑動面とを有する
請求項１、請求項２または請求項３に記載の毛髪形状処理器。
【請求項５】
前記回転体の回転数が毎分１５〜２０回転である
請求項１、請求項２、請求項３または請求項４に記載の毛髪形状処理器。
【請求項６】
前記発熱体の温度を１４０〜２００℃の間で設定可能な
請求項１、請求項２、請求項３、請求項４または請求項５に記載の毛髪形状処理器。
【請求項７】
所定の温度の発熱体とクリップ部材との間に、毛髪の長さ方向の途中領域を挟んだ状態で、前記クリップ部材を、毛髪の伸びる方向と略直交する軸を中心に回転させて、前記発熱体に毛髪をらせん状に巻き付ける工程を備える
毛髪形状処理方法。
【請求項８】
前記発熱体が所定の温度に達した後に、同発熱体と前記クリップ部材との間に毛髪を挟む工程を備える
請求項７に記載の毛髪形状処理方法。
【発明の詳細な説明】
【技術分野】
【０００１】
本発明は毛髪形状処理器および毛髪形状処理方法に関する。詳しくは、簡単に毛髪に均一なウェーブをかけることができる毛髪形状処理器および毛髪形状処理方法である。
【背景技術】
【０００２】
髪型はその人の印象を左右する重要な要素であり、髪型を変えることで異なる雰囲気をかもし出すことができる。そのため、私たちは、年齢や性別、社会的立場等に応じて、様々に髪型を使い分けている。また、個人の美意識や遊び心を満たすため、ファッション性のある、新規な髪型が考案され続けている。
【０００３】
昨今では、毛髪の長さの違いだけでも、ベリーショート、ショート、ボブ、ミディアム、ロングとある。それぞれの毛髪の長さに応じて、ウェーブをかけることで華やかな印象を持たせることができる。また、ウェーブのかけ具合によって、さらに多様な髪型を創り出すことができる。
【０００４】
従来は、髪にウェーブをかけるのは専門的な技術が必要であり、美容室などでしか行うことができなかった。しかし、現在では、家庭用ヘアーアイロンを用いることで、自宅で誰でも簡単に髪にウェーブをかけることができるようになった。
【０００５】
具体的には、ヘアーアイロンで毛髪に熱を加え、外巻き、内巻き、平巻きなどを施すことにより、髪にウェーブをかけ、またはボリュームを持たせるなどして、髪型を自在にアレンジすることができる。
【０００６】
毛髪にウェーブをかける際、用いられるヘアーアイロンは、昨今では、先端にブラシが設けられたり、マイナスイオンを発生させたり、ストレートヘアにもウェーブにも両方に対応できるものであったりするなど多機能なものが市場に出されている。
【０００７】
また、その殆どは、毛髪に熱を加えて、たんぱく質の熱変成を促し、ウェーブをかけるという方法を用いる点では共通している。図６に示す特許文献１に記載されたヘアーアイロンも、同様に発熱部９００に熱を発生させて、ウェーブをかけるものである。
【０００８】
図６に示す特許文献１に記載されたヘアーアイロンの構造は次の通りである。即ち、ヘアーアイロンのハンドル９１０と、髪を巻きつける発熱部９００とは、直列に形成され、かつ一体に設けられている。使用者は、発熱部９００に毛髪を巻きつけ、発熱部９００から発せられる熱により髪にウェーブをかける。
【先行技術文献】
【特許文献】
【０００９】
【特許文献１】特開２００６−２０４３６９号公報
【発明の概要】
【発明が解決しようとする課題】
【００１０】
しかしながら、特許文献１に記載されたヘアーアイロンは、発熱部９００とハンドル９１０とが一体に設けられているため、発熱部９００はハンドル９１０に対して回転できるようにはなっていなかった。
【００１１】
このため、毛髪にウェーブをかけるためには、毛髪をクリップで挟み、手首をねじって、ヘアーアイロンごと毛髪を持ち上げるようにして、巻き上げなければならなかった。このとき、ヘアーアイロンは重みがあるため、使用を続けていると手首に疲れを感じ、充分な時間をかけ、丁寧にウェーブをかけることができなかった。
【００１２】
また、髪の長さの中間位置から巻き始める「中間巻き」をする際、巻き始めの中間付近には充分なウェーブがかかるが、毛先になるに従い、熱とテンションが充分に伝わらず、毛先付近ではウェーブのかかりが充分ではなかった。このため、巻き始めの位置から毛先まで、均一なウェーブをかけることができなかった。
【００１３】
また、ウェーブのかけ方には、毛髪を内側に巻き込んでウェーブをかける「内巻き」と、毛髪を外側に巻いてウェーブをかける「外巻き」とがある。この「内巻き」と「外巻き」は、ウェーブの巻き方向が違うため、それぞれの巻き方に応じて、手首を回転させる向きを変える必要があった。
【００１４】
しかし、手首を回転させる向きによっては、手首を動かしにくく、使用者が使いづらさを感じる場合もあり、ヘアーアイロンに対する苦手意識が増幅される一因となっていた。
【００１５】
また、顔の左右の髪を巻く際には、利き腕を使うか否かによって左右のウェーブのかかり具合が同等にならず、満足できる髪型に整えることができなかった。
【００１６】
また、毛髪に高い温度を与えてウェーブをかけるため、過度に熱を加えてしまうなどして毛髪が傷つけられ、色やつやの減退を招いていた。
【００１７】
本発明は、以上の点に鑑みて発明されたものであり、簡単に毛髪に均一なウェーブをかけることができる毛髪形状処理器を提供することを目的とする。
【課題を解決するための手段】
【００１８】
上記の目的を達成するために、本発明の毛髪形状処理器は、本体と、該本体の一端に、同本体と一体に設けられ、かつ、同本体の長手方向と略同軸の長手方向を有する発熱体と、前記本体の、前記発熱体が設けられた側の領域に設けられ、同本体の長手方向を軸とした回転方向に回転可能な回転体と、該回転体に連続して設けられると共に前記発熱体に沿って伸びた形状を有し、同回転体と接する部分を軸として開閉可能に設けられたクリップ部材とを備える。
【００１９】
ここで、本体と、本体の一端に、本体と一体に設けられ、かつ、本体の長手方向と略同軸の長手方向を有する発熱体とによって、毛髪形状処理器の全体が棒状に形成されるため、手の届きにくい後頭部付近の毛髪を整えることができるなど、毛髪形状処理器の操作を容易に行うことができる。
【００２０】
また、本体と、本体と一体に設けられた発熱体と、前記発熱体が設けられた側の領域に設けられ、同本体の長手方向を軸とした回転方向に回転可能な回転体とによって、回転体は本体および発熱体と一体に設けられていないため、本体および発熱体と連動することはない。したがって、本体および発熱体から独立して、回転体のみを回転させることができる。
【００２１】
回転体に連続して設けられたクリップ部材によって、回転体が回転するに伴い、クリップ部材を回転体と一体となって回転させることができる。
【００２２】
発熱体に沿って伸びた形状を有するクリップ部材によって、発熱体に毛髪を確実に巻きつけることができる。
【００２３】
回転体と接する部分を軸として開閉可能に設けられたクリップ部材によって、クリップ部材を閉じれば、発熱体に巻きつけられた毛髪を発熱体に圧接することができる。また、クリップ部材を開ければ、発熱体に巻きつけられた毛髪をほどくことができる。
【００２４】
また、回転体が双方向に回転可能に設けられた場合には、内巻きや外巻きなどの巻き方に応じた回転方向に回転体を回転させることができる。
【００２５】
回転体の回転方向の切り替えが可能である場合には、内巻きと外巻きを交互に行うことができる。
【００２６】
クリップ部材は、回転体に一体として設けられた基部を有する場合には、クリップ部材も回転体と一体となって回転することができる。
【００２７】
クリップ部材が、基部を軸として発熱体と開閉可能に設けられた滑動面を有する場合には、発熱体と滑動面との間に挟まれた毛髪をクリップ部材を閉じることにより、発熱体に確実に圧接することができる。また、発熱体と滑動面との間に挟まれた毛髪をクリップ部材を開けることにより、発熱体からほどくことができる。
【００２８】
クリップ部材が、基部と連続する部分は発熱体から浮いた形状を有する場合には、毛髪が発熱体に巻きつけられる際、毛髪を、基部と連続する部分と発熱体の間に生じる空間に逃がすことができる。
【００２９】
回転体の回転数が毎分１５〜２０回転である場合には、巻き始めから巻き終わりまで適度な速さで毛髪が発熱体に巻きつけられていくので、毛髪形状処理器の操作がしやすく、均一なウェーブをかけることができる。
【００３０】
一方、回転体の回転数が毎分１５回未満である場合には、毛髪が毛先まで発熱体に巻きつけられる時間が長くなるため、毛髪に過度に熱が加えられることになり、毛髪が傷つきやすくなる。また、回転体の回転数が毎分２０回を超える場合には、毛髪が発熱体に巻きつけられるまでの時間が短いため、使用者にとって操作しにくく、使いづらさを感じてしまう。
【００３１】
発熱体の温度を１４０〜２００℃の間で設定可能である場合には、髪質に適した温度でウェーブをかけることができる。
【００３２】
一方、発熱体の温度を１４０℃未満の温度で設定する場合には、毛髪のたんぱく質が熱変成を起こすための充分な熱が与えられないため、ウェーブが充分にかかりにくくなる。また、発熱体の温度を、２００℃を超える温度で設定する場合には、高温の発熱体を、使用者の顔付近に近づけて使用することになるため、非常に危険であり、好ましくない。
【００３３】
また、上記の目的を達するために、本発明の毛髪形状処理方法は、所定の温度の発熱体とクリップ部材との間に、毛髪の長さ方向の途中領域を挟んだ状態で、前記クリップ部材を、毛髪の伸びる方向と略直交する軸を中心に回転させて、前記発熱体に毛髪をらせん状に巻き付ける工程を備える。
【００３４】
ここで、所定の温度の発熱体とクリップ部材との間に、毛髪の長さ方向の途中領域を挟んだ状態で、前記クリップ部材を、毛髪の伸びる方向と略直交する軸を中心に回転させることによって、手首をねじることなく、毛髪を発熱体に巻きつけることができる。なお、「毛髪の長さ方向」とは、毛髪を垂らした状態で、毛髪の生え際から毛先に向けての方向を言う。「毛髪の長さ方向の途中領域」とは、毛髪の生え際から毛先までの間の領域を言う。
【００３５】
また、同発熱体に毛髪をらせん状に巻きつけることによって、熱が均一に毛髪に伝わるので、毛髪が痛みにくく、色つやを保つことができる。
【００３６】
また、前記発熱体が所定の温度に達した後に、同発熱体と前記クリップ部材との間に毛髪を挟む工程を備える場合には、短時間でウェーブをかけることができる。
【発明の効果】
【００３７】
本発明に係る毛髪形状処理器は、簡単に毛髪に均一なウェーブをかけることができる毛髪形状処理器および毛髪形状処理方法を提供することができるものとなっている。
【図面の簡単な説明】
【００３８】
【図１】実施の形態に係る毛髪形状処理器の構造を示した斜視説明図である。
【図２】実施の形態に係る毛髪形状処理器のクリップ部の構造を示した側面図である。
【図３】実施の形態に係る毛髪形状処理器のアイロンプレートの長手方向に沿った断面図である。
【図４】実施の形態に係る毛髪形状処理器を用いた使用の一例（内巻き）を示した概略図である。
【図５】実施の形態に係る毛髪形状処理器を用いた使用の一例（外巻き）を示した概略図である。
【図６】従来のヘアーアイロンの一例を示す概略図である。
【発明を実施するための形態】
【００３９】
以下、本発明の実施の形態について図１ないし図５を参照しながら説明し、本発明の理解に供する。
【００４０】
〔実施の形態〕
本発明の実施の形態を図１ないし図３に基づいて説明する。
図１は、実施の形態に係る毛髪形状処理器の構造を示した斜視説明図である。図２は、実施の形態に係る毛髪形状処理器のクリップ部の構造を示した側面図である。図３は、実施の形態に係る毛髪形状処理器のアイロンプレートの長手方向に沿った断面図である。
【００４１】
図１に示す、毛髪形状処理器の一例であるアイロンＡは、本体1と、回転体２と、発熱体の一例であるアイロンプレート３と、クリップ部材の一例であるクリップ部４と、電源コード５から成る。
【００４２】
本体１には、電源ＯＮスイッチ１０、電源ＯＦＦスイッチ１１、温度調節表示部１２および回転スイッチ部１３が設けられている。回転スイッチ部１３は、回転体２を右方向に回転させるＲスイッチ１３０と、左方向に回転させるＬスイッチ１３１とを有する。
【００４３】
電源ＯＮスイッチ１０、電源ＯＦＦスイッチ１１により、手元で電源の入切を容易に行うことができる。
【００４４】
Ｒスイッチ１３０とＬスイッチ１３１により、手元で簡単にクリップ部４の回転方向を操作することができる。
【００４５】
本体１の、電源コード５が設けられた一端とは反対側の他端には、回転体２が設けられている。回転体２の、本体１が設けられた側とは反対側には、セラミック製のアイロンプレート３が設けられている。
【００４６】
本体１とアイロンプレート３は一体に設けられているが、回転体２は、本体１およびアイロンプレート３とは一体に設けられていない。このため、図２に示すように、回転体２は、本体１およびアイロンプレート３とは独立して、回転することができる。
【００４７】
クリップ部４は、回転体２に設けられた、基部の一例である開閉ボタン４０と、開閉ボタン４０からアイロンプレート３の長手方向に、アイロンプレート３の表面上に沿って伸びた、滑動面の一例であるクリップ４１とから成る。
【００４８】
クリップ４１は、クリップ部４が閉じているときは、アイロンプレート３に密着しているが、開閉ボタン４０を押すと、開閉ボタン４０を軸としてクリップ４１は起き上がり、クリップ部４が開く。開閉ボタン４０から指を離すと、開閉ボタン４０を軸としてクリップ４１は倒れ、アイロンプレート３に密着し、クリップ部４は閉じる。
【００４９】
クリップ部４が開閉可能に設けられていることにより、アイロンプレート３とクリップ４１の間に毛髪を確実に挟持することができる。また、開閉ボタン４０を操作することにより、クリップ部４の開閉を容易に行うことができる。
【００５０】
クリップ４１の、開閉ボタン４０寄りの部分であるアーチ部４２は、略円弧状の形状を有しており、アイロンプレート３から浮いている。アーチ部４２とアイロンプレート３の間には、空間である溜り部４３が形成されている。
【００５１】
毛髪は、回転しながらアイロンプレート３に巻きつけられることにより、徐々にクリップ４１の根本部分に押し流されるため、クリップ４１の根本部分に毛髪が溜まりやすくなる。しかし、図３に示すように、溜り部４３が設けられていることにより、毛髪は溜り部４３に入り込むため、クリップ４１の回転の動きが妨げられにくくなる。
【００５２】
アーチ部４２の頂点から、開閉ボタン４０へ向けて、結合片４４が伸びている。結合片４４は開閉ボタン４０と結合しているため、開閉ボタン４０とクリップ４１は一体に設けられている。また、開閉ボタン４０は回転体２と一体に設けられている。このため、図２に示すように、回転体２の回転に伴って、クリップ部４も一体となって回転し、クリップ４１はアイロンプレート３の表面上を滑動する。
【００５３】
回転体２には、支持台（図示せず）が設けられている。支持台を床面側にしてアイロンＡを置くと、支持台を視点として、本体１の電源コード５側が床に接し、アイロンプレート３側が床面から浮き上がらせることができる。
【００５４】
電源ＯＮスイッチ１０を押すと、温度調節表示部１２が点灯し、温度調節表示部１２にアイロンプレート３の現在の温度が表示される。
【００５５】
アイロンプレート３の温度は、１４０〜２００℃の間の１０℃単位で設定することができる。もう一度、電源ＯＮスイッチ１０を長押しすると、温度調節表示部１２に１４０、１５０、１６０、１７０、１８０、１９０、２００の文字が昇順に表示される。希望する設定温度が表示されたとき、電源ＯＮスイッチ１０から指を離すと、設定温度が確定する。
【００５６】
一旦確定した設定温度をより高い温度に変更したい場合は、再び電源ＯＮスイッチ１０を押すと設定温度が１０℃単位で昇順に表示される。逆に、一旦確定した設定温度をより低い温度に変更したい場合は、電源ＯＦＦスイッチを押すと設定温度が１０℃単位で降順に表示される。
【００５７】
設定温度が確定されてから約３分で、アイロンプレート３は設定温度に到達する。設定された温度に達すると、その後は設定温度を保ち続ける。
【００５８】
髪型を整えた後は、電源ＯＦＦスイッチ１１を押すと、アイロンＡの電源が落とされる。
【００５９】
ここで、本体１とアイロンプレート３の長さの比は、ほぼ１対１であるが、これに限定されるものではない。本体１よりもアイロンプレート３の方が長い形状や、逆に、短い形状も考えられる。
【００６０】
また、本体１の電源ＯＮスイッチ１０および電源ＯＦＦスイッチ１１が設けられる場所は、本実施の形態に限定されるものではない。なお、使用者は、アイロンを片手で操作する場合が多いと考えられるため、操作しやすい場所に設けるのが好ましい。
【００６１】
また、本体１のＲスイッチ１３０およびＬスイッチ１３１が設けられる場所は、本実施の形態に限定されるものではない。なお、使用者は、アイロンを片手で操作する場合が多いと考えられるため、操作しやすい場所に設けるのが好ましい。
【００６２】
また、アイロンプレート３の発熱手段は、電熱線などが考えられるが、これに限定されるものではなく、毛髪のたんぱく質に熱変成を与えることができる温度まで上昇させることができる手段であれば良い。
【００６３】
また、必ずしもアイロンプレート３を発熱させてからクリップ４１で毛髪を挟むだけでなく、毛髪をクリップ４１に毛髪を挟んだ後、アイロンプレート３を発熱させてもよい。
【００６４】
なお、アイロンプレート３を発熱させてから毛髪を巻きつける場合には、短時間でウェーブを付けることができる。また、アイロンプレート３に毛髪を巻きつけてからアイロンプレート３を発熱させる場合には、巻きつける際に誤ってアイロンプレート３を触ってもやけどすることがなく、安全に使用することができる。
【００６５】
また、クリップ４１の形状も本実施の形態の形状に限定されるものではない。毛髪をアイロンプレート３に圧接することができればよく、線状や、メッシュ状であってもよい。
【００６６】
また、クリップ４１の個数は一つに限定されるものではない。クリップ４１の形状に応じて複数枚設けることもできる。
【００６７】
また、アイロンプレート３はセラミック製に限定されるものではない。熱がアイロンプレート３にまんべんなく伝わる材質のものであれば良い。
【００６８】
また、温度表示部１２は必ずしも設けられなくてもよいが、何らかの温度設定手段が設けられている方が好ましい。
【００６９】
また、開閉ボタン４０は細長い形状に限定されるものではない。丸型や四角の形状であってもよい。
【００７０】
また、開閉ボタン４０の個数は、一つに限定されるものではない。クリップ部４を閉じるためのボタンと、開くためのボタンのそれぞれが別個に設けられていてもよい。
【００７１】
また、支持台は、必ずしも設けられなくてもよい。なお、アイロンは熱を帯びるため、テーブルの上に直接置くと、テーブルが痛むため、支持台を設けた方が良い。
【００７２】
また、アイロンプレート３の温度は１４０〜２００℃の範囲に限定されるものではない。なお、毛髪へ熱を与えることによりタンパク質に熱変成を与えて、ウェーブを施すため、１４０〜２００℃の範囲で設定するのが好ましい。
【００７３】
また、アイロンプレート３の設定温度は、１０℃単位での設定に限定されるものではない。５℃単位や１℃単位での設定も考えられる。
【００７４】
本発明の実施の形態の第１の使用方法である内巻きのウェーブを作る方法について説明する。
【００７５】
まず、開閉ボタン４０を押してクリップ４１を起こし、クリップ部４を開く。クリップ４１が毛髪の外側に位置するようアイロンＡを回転させる。図４（ａ）に示すように、クリップ４１とアイロンプレート３の間に毛髪を入れ、開閉ボタン４０を離してクリップ４１を倒し、クリップ部４を閉じる。これにより、毛髪は、クリップ４１とアイロンプレート３に挟持される。
【００７６】
次に、図４（ｂ）に示すように、Ｌスイッチ１３１を押し、クリップ４１を左回りに回転させる。この動きを継続することにより、毛髪は、アイロンプレート３に巻きつけられていく。
【００７７】
このとき、毛髪の一部はアイロンプレート３の面に沿って、アーチ部４２付近へ押し流されるように移動しながら、アイロンプレート３に巻きつけられる。このため、図４（ｃ）に示すように、アーチ部４２付近に毛髪が集まるが、溜り部４３に毛髪が入り込むので、クリップ４１の回転を妨げることなく、毛先まで確実にアイロンプレート３に巻きつけることができる。
【００７８】
毛髪に熱が充分にいきわたったら、開閉ボタン４０を押して、クリップ４１を起こし、毛髪をアイロンプレート３からほどく。毛髪は、アイロンプレート３に左巻きに巻きつけられていたことにより、内巻きの髪が形成される。
【００７９】
本発明の実施の形態の第２の使用方法である外巻きのウェーブを作る方法について説明する。
【００８０】
まず、開閉ボタン４０を押してクリップ４１を起こし、クリップ部４を開く。クリップ４１が毛髪の内側に位置するようアイロンＡを回転させる。図５（ａ）に示すように、クリップ４１とアイロンプレート３の間に毛髪を入れ、開閉ボタン４０を離してクリップ４１を倒し、クリップ部４を閉じる。これにより、毛髪は、クリップ４１とアイロンプレート３に挟持される。
【００８１】
次に、図５（ｂ）に示すように、Ｒスイッチ１３０を押し、クリップ４１を右回りに回転させる。これにより、毛髪は、アイロンプレート３に巻きつけられていく。
【００８２】
このとき、毛髪の一部はアイロンプレート３の面に沿って、アーチ部４２付近へ押し流されるように移動しながら、アイロンプレート３に巻きつけられる。このため、図５（ｃ）に示すように、アーチ部４２付近に毛髪が集まるが、溜り部４３に毛髪が入り込むので、クリップ４１の回転を妨げることなく、毛先まで確実にアイロンプレート３に巻きつけることができる。
【００８３】
毛髪に熱が充分にいきわたったら、開閉ボタン４０を押して、クリップ４１を起こし、毛髪をアイロンプレート３からほどく。毛髪は、アイロンプレート３に右回りに巻きつけられていたことにより、外巻きの髪が形成される。
【００８４】
ここで、毛髪をクリップ４１に挟み、クリップ４１が自動で回転することにより、失敗することなくアイロンプレート３に毛髪を巻きつけることができる。
【００８５】
また、毛髪は自動的にアイロンプレート３に巻きつけられるので、内巻きや外巻きのどちらの巻き方であっても、均等にウェーブをかけることができ、失敗しにくい。
【００８６】
また、毛髪をクリップ４１に挟むことができればアイロンプレート３に巻きつけることができるので、毛髪の長さが短くてもウェーブをかけることができる。
【００８７】
また、毛髪はアイロンプレート３に自動で巻きつけられるので、手首をねじる必要がないので、内巻きや外巻きのどちらであっても、無理なくウェーブをかけることができる。
【００８８】
また、クリップ部４の回転方向を回転スイッチ部１３のＲスイッチ１３０およびＬスイッチ１３１で簡単に切り替えることができるので、内巻きと外巻きを交互に行うことができる。
【００８９】
また、１４０℃の低温であってもクリップ４１で挟んでアイロンプレート３に圧接するので、熱が充分に毛髪に伝わり、ウェーブを確実かけることができる。
【００９０】
また、１４０℃の低温であっても、毛髪に均一に熱を与えることができるので、毛髪が痛みにくく、毛髪の色、つやを保つことができる。
【００９１】
また、１４０℃から２００℃の範囲内で温度設定を行うことができるので、使用者の髪質にあった温度設定をすることができる。
【００９２】
また、アイロンプレートに毛髪を巻きつける時間を短くしたり、低めの温度でウェーブをかけたり、工夫をすれば、ウェーブをゆるくかけることができ、流行の「ゆる巻き」と言われる髪型にすることもできる。
【００９３】
また、毛髪の中間から巻き始める「中間巻き」をする場合であっても、アイロンプレート３に、巻き始めの位置にある毛髪から毛先まで、順に巻きつけられていくので、毛髪に均等に熱が伝わり、均一なウェーブを作ることができる。
【００９４】
また、アイロンプレート３全体に毛髪が巻きつけられていくので、毛髪に対して均一に熱が伝わり、髪型を長持ちさせることができる。
【００９５】
また、毛髪がアイロンプレート３に巻きつけられる際、アーチ部４２付近に押し流されるため毛髪がアーチ部４２付近に集まるが、溜り部４３に毛髪が入り込むので、クリップ４１の回転を妨げることなく、毛先まで確実にアイロンプレート３に巻きつけることができる。
【００９６】
このように、本発明を適用した毛髪形状処理器および毛髪形状処理方法は、簡単に毛髪に均一なウェーブをかけることができるものとなっている。
【符号の説明】
【００９７】
１  本体
２  回転体
３  アイロンプレート
４  クリップ部
５  電源コード
１０  電源ＯＮスイッチ
１１  電下ＯＦＦスイッチ
１２  温度調節表示部
１３  回転スイッチ部
４０  開閉スイッチ
４１  クリップ
４２  アーチ部
４３  溜り部
４４  結合片
１３０  Ｒスイッチ
１４０  Ｌスイッチ
９００  発熱部
９１０  ハンドル
Ａ  アイロン
【図１】
2015181865.tif 000003
【図２】
2015181865.tif 000004
【図３】
2015181865.tif 000005
【図４】
2015181865.tif 000006
【図５】
2015181865.tif 000007
【図６】
2015181865.tif 000008